(57)【特許請求の範囲】
【請求項１】
音声Ｌチャンネル信号と音声Ｒチャンネル信号を音質調整、音量調整する音質音量制御回路の後段に、音声Ｌチャンネル及び音声Ｒチャンネル信号を加算する加算器と、加算器出力を位相反転する反転器と、反転器出力を電力増幅する第１の電力増幅器を直列に具備し、前記第１の電力増幅器出力を、ＴＶセットの中央下部、または中央上部に設置されたセンタースピーカの−端子に接続し、＋端子は接地する構成として、センター出力とし、音声の明瞭さを改善すると共に、前記音質音量制御回路で出力された音声Ｌチャンネル信号を電力増幅する第２の電力増幅器、及び音声Ｒチャンネル信号を電力増幅する第３の電力増幅器を並列に備え、ＴＶセット左右に設置されたＬチャンネルスピーカ及びＲチャンネルスピーカの＋端子に各々接続し、−端子は前記第１の電力増幅器出力を入力とし、低音域成分のみを抽出するＬＰＦを通して接続するＢＴＬ接続方式として、Ｌチャンネルスピーカ及びＲチャンネルスピーカによる低音域増強を図るＴＶ音声再生装置。
【発明の詳細な説明】
【０００１】
【発明の属する技術分野】
本発明は、ＴＶ音声再生の明瞭さ向上、低音域増強に関するものである。
【０００２】
【従来の技術】
ＴＶセットに搭載されているスピーカは、大きさや形状の制約から充分な低音域の成分が再生できず、ＢＳ（衛星放送）やハイビジョン等のデジタル高性能の音楽ソースが放送されているにもかかわらず、貧弱な低音域再生しか楽しめないという問題を有していた。また最近では、ＣＤ、ＬＤ等の外部ソース機器との接続する機会が増え、更に、低音域再生の必要性が望まれている。通常、低音域を増強するには、音質音量制御回路（トーンコントロール）でブーストすれば良いが、低電圧駆動では、ダイナミックレンジ不足でブーストする量が少なくなる。この欠点を補う為、実開昭６３−１２９３１８号公報に示すように、Ｌチャンネルスピーカ及びＲチャンネルスピーカを、第３の電力増幅器を増設し、ＢＴＬ接続方式として低音域を増強する音声再生方法が知られている。以下、図３を参照しながら低音域増強の一例について説明する。
【０００３】
図３において、符号１は音質調整、音量調整を行う音質音量制御回路、４は音声Ｌチャンネル信号を電力増幅する電力増幅器、９はＬチャンネルスピーカ、６は音声Ｒチャンネル信号を電力増幅する電力増幅器、１１はＲチャンネルスピーカ、２は音声Ｌチャンネル信号及び音声Ｒチャンネル信号を加算する加算器、１２は低音域成分を抽出する低域通過フィルター（以下、ＬＰＦと呼ぶ。）、１３は反転して電力増幅する反転電力増幅器である。
【０００４】
以上のように構成された低音域増強について、その動作を説明する。入力された音声Ｌチャンネル信号及び音声Ｒチャンネル信号は音質音量制御回路１で音質調整、音量調整を行う。現状、この音質音量制御回路１は、ＩＣ化されている事が多く、ダイナミックレンジに制約がある。すなわち、ＣＤ等のソースで入力される音声Ｌチャンネル及び音声Ｒチャンネル信号は、最大２Ｖｒｍｓと規程されており、一方、音質音量制御回路１は１２Ｖ程度の単一電源で駆動され、最大レベルは約３Ｖｒｍｓ程度である。すなわち、低音域をブーストする為には、トーンコントロールでブーストすれば良いが、３Ｖ／２Ｖ＝１．５（３ｄＢ）倍程度しかブーストできない。そこで、加算器２で、音声Ｌチャンネル信号と音声Ｒチャンネル信号を加算し、ＬＰＦ１２で低音域のみを通過させ、反転電力増幅器１３で信号増幅し、逆相の駆動電力を供給する。
【０００５】
一方、音質音量制御回路１で制御された音声Ｌチャンネル信号及び音声Ｒチャンネル信号は、電力増幅器４、電力増幅器６で各々、電力増幅し、Ｌチャンネルスピーカ９、Ｒチャンネルスピーカ１１の＋端子に供給し、−端子は前記、反転電力増幅器１３の出力とＢＴＬ接続する。このようにＢＴＬ接続すれば、低音域のみ２倍の電力がＬチャンネルスピーカ及びＲチャンネルスピーカ端子間に供給され、低電圧での低音域増強のダイナミックレンジが拡大可能となる。
【０００６】
【発明が解決しようとする課題】
しかしながら前記従来の構成では低電圧での低音域増幅の効果はあるが、電力増幅器の増設によるコストアップにつながると共に、増幅器の増設の意義が少ない。すなわち、増幅器の増設をするより、電源を高電圧にする回路の工夫、増幅器直前での低音域ブースト等を行えば、音質音量制御回路でのダイナミックレンジ不足も解消できる。また、低音域のみを増幅させると、音質的に、こもった音となり、定位、明瞭さのない聴きづらい音になる問題がある。
【０００７】
【課題を解決するための手段】
前記課題を解決するために、本発明のＴＶ音声再生装置は、音声Ｌチャンネル信号と音声Ｒチャンネル信号を加算し、電力増幅器を通してセンタースピーカから再生することで音声明瞭さの向上を図ると共に、Ｌチャンネルスピーカ及びＲチャンネルスピーカにＬＰＦを通してＢＴＬ接続することにより低音域増強を図ることを特徴としたものである。
【０００８】
本発明によれば、電力増幅器増設を有効に利用し、Ｌチャンネルスピーカ及びＲチャンネルスピーカで低音域を効率良く増強し、かつ低音域が増強されても、センタースピーカにより音声明瞭さを向上するＴＶ音声再生装置を提供できる。
【０００９】
【発明の実施の形態】
本発明のＴＶ音声再生装置は、音声Ｌチャンネル信号と音声Ｒチャンネル信号を加算し、電力増幅器によりセンタースピーカから再生することで音声明瞭さの向上と、Ｌチャンネルスピーカ及びＲチャンネルスピーカにＬＰＦを通してＢＴＬ接続することにより低音域増強を図ることを特徴としたものであり、電力増幅器増設を有効に利用し、Ｌチャンネルスピーカ及びＲチャンネルスピーカで低音域を効率良く増強し、かつ低音域が増強されても、センタースピーカにより音声明瞭さの向上を実現しうるものである。
【００１０】
本発明の請求項１に記載されたＴＶ音声再生装置は、音声Ｌチャンネル信号と音声Ｒチャンネル信号を音質調整、音量調整する音質音量制御回路の後段に、音声Ｌチャンネル信号及び音声Ｒチャンネル信号を加算する加算器と、加算器出力を位相反転する反転器と、反転器出力を電力増幅する第１の電力増幅器を直列に具備し、前記第１の電力増幅器出力を、ＴＶセットの中央下部、または中央上部に設置されたセンタースピーカの−端子に接続し、＋端子は接地する構成として、センター出力とし、音声明瞭さを向上すると共に、前記音質音量制御回路で出力された音声Ｌチャンネル信号を電力増幅する第２の電力増幅器、及び音声Ｒチャンネル信号を電力増幅する第３の電力増幅器を並列に備え、ＴＶセット左右に設置されたＬチャンネルスピーカ及びＲチャンネルスピーカの＋端子に各々接続し、−端子は前記第１の電力増幅器出力を入力とし、低音域成分のみを抽出するＬＰＦを通して接続するＢＴＬ接続方式として、Ｌチャンネルスピーカ及びＲチャンネルスピーカによる低音域増強を実現しうるものである。
【００１１】
（実施の形態）
以下に、本発明の請求項１に記載された発明の実施の形態について、図１、図２を用いて説明する。
【００１２】
図１は、本発明の一実施例におけるＴＶ音声再生装置のブロック構成図を示す。図１において、１は音声Ｌチャンネル信号及び音声Ｒチャンネル信号を各々独立に音質調整、音量調整を行う音質音量制御回路であり、通常トーンコントロール、ボリュームと呼ばれ、ＩＣ化されている回路である。２は音声Ｌチャンネル信号及び音声Ｒチャンネル信号を加算する加算器、３は加算器出力を位相反転する反転器、５は反転器出力を電力増幅する電力増幅器であり、１０はＴＶセットの中央下部、または中央上部に設置されたセンタースピーカであり、前記第１の電力増幅器５の出力をセンタースピーカ１０の−端子に接続し、＋端子は接地する構成として、音声加算信号をセンタースピーカ１０から再生する。
【００１３】
また、４は音声Ｌチャンネル信号を電力増幅する第２の電力増幅器、６は音声Ｒチャンネル信号を電力増幅する第３の電力増幅器であり、電力増幅器４、電力増幅器６の出力は、ＴＶセット左右に設置されたＬチャンネルスピーカ９及びＲチャンネルスピーカ１１の＋端子に各々接続する。７、８は前記第１の電力増幅器５を入力とし、低音域のみを抽出するＬＰＦであり、前記Ｌチャンネルスピーカ９、Ｒチャンネルスピーカ１１の−端子に接続し、ＢＴＬ接続とする。
【００１４】
図２は図１に示す電力増幅後の各部の電流波形を示すものであり、正弦波をＬＲ同相で入力した時の説明図である。すなわち、（ａ）、（ｃ）部は同相で信号出力しているが、（ｂ）は反転増幅されている為、逆相出力となる。この逆相電流が、ＬＰＦ７、ＬＰＦ８の作用で低音域のみ通過し、Ｌチャンネルスピーカ９、Ｒチャンネルスピーカに、通常の２倍の電流が流れる事になり、低音域のみ音圧が増強される。
【００１５】
このように、加算された音声信号をセンタースピーカ１０から再生する事により、音声明瞭さを改善すると共に、センタースピーカ駆動用に増設した電力増幅器５を有効に利用し、Ｌチャンネルスピーカ９、Ｒチャンネルスピーカ１１をＬＰＦ７、ＬＰＦ８を介してＢＴＬ接続すれば、低音域の増強が図れる。
【００１６】
【発明の効果】
以上のように、本発明のＴＶ音声再生装置は、センタースピーカを用いることで、音声明瞭さを向上できると共に、センタースピーカ駆動用の電力増幅器を有効に利用して、Ｌチャンネルスピーカ及び、ＲチャンネルスピーカをＢＴＬ接続させることにより、低音域をの増強できるＴＶ音声再生装置を提供することが可能となる。
【図面の簡単な説明】
【図１】本発明の実施の形態１におけるＴＶ音声再生装置のブロック構成図
【図２】図１の各部の動作を説明する波形図
【図３】従来電力増幅回路のブロック構成図
【符号の説明】
１  音質音量制御回路
２  加算器
３  反転器
４、５、６  電力増幅器
７、８  ＬＰＦ
９  Ｌチャンネルスピーカ
１０  センタースピーカ
１１  Ｒチャンネルスピーカ
【図１】
0003562163.tif 000002
【図２】
0003562163.tif 000003
【図３】
0003562163.tif 000004